(57)【要約】【課題】使用する時充電することができ、有線作業状態及び無線作業状態を切り替えることができる光学式マウスを提供することである。【解決手段】本体と、本体に開設されたポートと、を含み、コンピュータのスクリーン・カーソルの制御に使用される光学式マウスにおいて、接続線と、有線モジュールと、無線モジュールと、電池モジュールと、をさらに含み、有線モジュール、無線モジュール及び電池モジュールは全て本体の内に収容され、接続線は、光学式マウスとコンピュータとを挿抜可能に連結し、有線モジュールは、コンピュータに連結された接続線を介してスクリーン・カーソルを制御し、且つ光学式マウスが必要とする電気エネルギーを得て、無線モジュールは、電気モジュールの電気エネルギーの提供によってコンピュータのスクリーン・カーソルに対して無線制御を進行し、電気モジュールは、コンピュータに連結された接続線を介して充電される。【選択図】図１
2009032265.tif 000002
【特許請求の範囲】
【請求項１】
本体と、前記本体に開設されたポートと、を含み、コンピュータのスクリーン・カーソルの制御に使用される光学式マウスにおいて、
接続線と、有線モジュールと、無線モジュールと、電池モジュールと、をさらに含み、
前記有線モジュール、無線モジュール及び電池モジュールは全て前記本体の内に収容され、
前記接続線は、前記光学式マウスとコンピュータとを挿抜可能に連結し、
前記有線モジュールは、コンピュータに連結された接続線を介してスクリーン・カーソルを制御し、且つ前記光学式マウスが必要とする電気エネルギーを得て、
前記無線モジュールは、前記電気モジュールの電気エネルギーの提供によってコンピュータのスクリーン・カーソルに対して無線制御を進行し、
前記電気モジュールは、コンピュータに連結された接続線を介して充電されることを特徴とする光学式マウス。
【請求項２】
前記光学式マウスは、さらに電源切り替え手段を含み、前記電源切り替え手段は、前記本体の内に設置され、且つ前記ポートからの電気信号に対して感測を進行して前記有線モジュール及び前記無線モジュールを相互切り替えることを特徴とする請求項１に記載の光学式マウス。
【請求項３】
前記無線モジュールは、無線送信モジュールと、無線受信モジュールと、を含み、前記無線送信モジュールは、前記光学式マウスの操作指令を電気信号に変換して放送し、前記無線受信モジュールは、コンピュータと電気接続し、且つ前記無線送信モジュールからの電気信号を受信して前記コンピュータへ伝送することを特徴とする請求項２に記載の光学式マウス。
【請求項４】
前記光学式マウスは、さらにインバータ回路を含み、前記インバータ回路は、前記有線モジュール及び前記無線モジュールと電気接続し、前記光学式マウスが有線作業状態になった場合、前記インバータ回路はコンピュータからの電気エネルギーを前記電池モジュールに適合する電気エネルギーに変換して前記電池モジュールに充電し、前記光学式マウスが無線作業状態になった場合、前記インバータ回路は前記電池モジュールからの電気エネルギーを前記光学式マウスの作業に適合する電気エネルギーに変換することを特徴とする請求項３に記載の光学式マウス。
【請求項５】
前記光学式マウスは、さらに電量測定モジュールを含み、前記電量測定モジュールは前記電池モジュールの電量に対して測定することを特徴とする請求項４に記載の光学式マウス。
【請求項６】
前記光学式マウスは、さらに警告システムを含み、前記警告システムは、前記電池モジュールの充満電及び低電量に対して提示することを特徴とする請求項５に記載の光学式マウス。
【請求項７】
前記ポートがＵＳＢポートであることを特徴とする請求項１に記載の光学式マウス。
【請求項８】
前記接続線は、両端にＵＳＢコネクタがそれぞれに形成されているデータ線であり、前記接続線の一端のＵＳＢコネクタはコンピュータと電気接続し、他端のＵＳＢコネクタは前記光学式マウスのポートに電気接続することを特徴とする請求項１に記載の光学式マウス。
【発明の詳細な説明】
【技術分野】
【０００１】
本発明は、光学式マウスに関する。
【背景技術】
【０００２】
マウスはコンピュータの入力手段の一種である。マウスは、人々がコンピュータに対する操作に便利を与えている。今、使用するマウスは工作原理により、ボール式マウス、光学式マウスに分けられる。光学式マウスは、反応速度が速く、位置決めが正確であるので、広大な消費者の歓迎を受けている。前記光学式マウスは、マウスの移動の量、方向及び速度を測定し、前記測定値を電気信号に切り替えた後、前記電気信号がプログラムにより処理されてスクリーン・カーソルを制御する。
【０００３】
科学技術の発展に伴って、メーカで無線光学式マウスを開発した。前記無線光学式マウスの電源として、乾電池或いは蓄電池が使用される。しかしながら、前記無線光学式マウスの電気の消耗量が比較的大きく、且つ前記電池の電気の量も制限されているので、前記無線光学式マウスを使用する場合、新しい乾電池に頻繁に交換するとか、蓄電池に頻繁に充電しなければならない。従って、従来の無線光学式マウスを使用する場合、使用のコストが高く、充電の時前記マウスの作業を進行することができないので、使用者に大きな不便を与えるだけでなく、作業效率も低下させる。
【発明の開示】
【発明が解決しようとする課題】
【０００４】
本発明の目的は、使用する時充電することができ、有線作業状態及び無線作業状態を切り替えることができる光学式マウスを提供することである。
【課題を解決するための手段】
【０００５】
本体と、前記本体に開設されたポートと、を含み、コンピュータのスクリーン・カーソルの制御に使用される光学式マウスにおいて、接続線と、有線モジュールと、無線モジュールと、電池モジュールと、をさらに含み、前記有線モジュール、無線モジュール及び電池モジュールは全て前記本体の内に収容され、前記接続線は、前記光学式マウスとコンピュータとを挿抜可能に連結し、前記有線モジュールは、コンピュータに連結された接続線を介してスクリーン・カーソルを制御し、且つ前記光学式マウスが必要とする電気エネルギーを得て、前記無線モジュールは、前記電気モジュールの電気エネルギーの提供によってコンピュータのスクリーン・カーソルに対して無線制御を進行し、前記電気モジュールは、コンピュータに連結された接続線を介して充電される。
【発明の効果】
【０００６】
本発明の光学式マウスは、有線作業状態及び無線作業状態を切り替えることができ、且つ有線作業状態で作業する時、コンピュータのスクリーン・カーソルに対する制御及び前記光学式マウスの電池モジュールに対する充電を同時に進行することができるから、マウスに充電する時、前記マウスを使用してスクリーン・カーソルを制御することができる。従って、作業效率を向上させることができる。
【発明を実施するための最良の形態】
【０００７】
以下図面に基づいて、本発明の実施の形態に係る有線作業状態及び無線作業状態を切り替えることができる光学式マウスに対して詳細に説明する。
【０００８】
図１及び図２に示すように、本発明の実施の形態の光学式マウス１０は、また、ユニバーサル・シリアル・バス（Universal Serial Bus、ＵＳＢ）ポート、即ちＵＳＢポート（Ports）９０２を具備するコンピュータ９０に使用される。また、これを基づいて、前記光学式マウス１０がコンピュータ９０のスクリーン・カーソルを制御する情況に対して詳細に説明する。
【０００９】
図３を参照すると、前記光学式マウス１０は、本体１２と、接続線１４と、を含む。前記本体１２は、操作部１２２と、ポート１２４と、を含む。前記操作部１２２は、前記本体１２の上表面に設置されている。前記ポート１２４は、操作部１２２の下方に位置するように、前記本体１２の周縁の壁に形成されている。前記ポート１２４はＵＳＢポートである。
【００１０】
前記ポート１２４は、前記本体１２の内に設置されている電源切り替え手段３０と電気接続する。前記電源切り替え手段３０は、それぞれに有線モジュール４０及び無線モジュール５０と電気接続する。前記有線モジュール４０及び無線モジュール５０は、それぞれにインバータ回路６０と電気接続する。前記インバータ回路６０は、電量測定モジュール７０と電気接続する。前記電量測定モジュール７０は、電池モジュール８０と電気接続する。
【００１１】
前記接続線１４は、前記光学式マウス１０とコンピュータ９０とを電気接続させる。前記接続線１４は、両端にＵＳＢコネクタ１４２，１４４がそれぞれに形成されているデータ線である。前記光学式マウス１０に充電が必要する時、前記ＵＳＢコネクタ１４２，１４４を別々に前記コンピュータ９０のＵＳＢポート９０２及び前記光学式マウス１０のＵＳＢポート１２４に接続させる。
【００１２】
前記電源切り替え手段３０は、前記光学式マウス１０の有線作業状態及び無線作業状態の切り替えを制御する。前記接続線１４で前記コンピュータ９０と前記光学式マウス１０とを電気接続させた場合、前記電源切り替え手段３０は前記コンピュータ９０からの電気信号を感測して、前記有線モジュール４０をオンさせ、前記無線モジュール５０をオフさせる。これによって、前記光学式マウス１０は有線作業状態になる。
【００１３】
前記コンピュータ９０と前記光学式マウス１０とが電気接続されない場合、前記電源切り替え手段３０は前記コンピュータ９０からの電気信号を感測しなくて、前記無線モジュール５０をオンさせ、前記有線モジュール４０をオフさせる。これによって、前記光学式マウス１０は無線作業状態になる。
【００１４】
前記有線モジュール４０により前記光学式マウス１０の有線作業状態を実現することができる。有線作業状態になった場合、前記光学式マウス１０の操作指令は前記接続線１４を介して前記コンピュータ９０へ伝送される。また、前記コンピュータ９０から出力される電エネルギーの一部分は前記接続線１４を介して前記電池モジュール８０へ伝送される。
【００１５】
前記無線モジュール５０により前記光学式マウス１０の無線作業状態を実現することができる。前記無線モジュール５０は、無線送信モジュール５０２と、無線受信モジュール５０４と、を含む。前記無線送信モジュール５０２は、前記本体１２の内に設置され、且つ前記光学式マウス１０の操作指令を無線信号に変換させて放送する。前記無線受信モジュール５０４は、前記本体１２の内の収納容器（未図示）に脱着可能に収容されている。
【００１６】
無線作業状態になった場合、前記無線受信モジュール５０４を前記本体１２の収納容器から取出した後、前記コンピュータ９０に電気接続させる。前記無線受信モジュール５０４は、前記無線モジュール５０の無線送信モジュール５０２からの前記光学式マウス１０の操作指令の無線信号を受信して、前記コンピュータ９０のスクリーン・カーソルを制御する。
【００１７】
インバータ回路６０により前記コンピュータ９０及び電池モジュール８０からの電気エネルギーが変換される。即ち、前記光学式マウス１０が有線作業状態になった場合、前記インバータ回路６０は前記コンピュータ９０からの電気エネルギーを前記電池モジュール８０に適合する電気エネルギーに変換させて、前記電池モジュール８０に充電する。前記光学式マウス１０が無線作業状態になった場合、前記インバータ回路６０は前記電池モジュール８０からの電気エネルギーを前記無線モジュール５０に適合する電気エネルギーに変換して、前記光学式マウス１０を正常に作業しようにする。
【００１８】
前記電量測定モジュール７０は、前記電池モジュール８０の電量に対して実時間性測定を進行する。前記電量測定モジュール７０は、警告システム２０とも電気接続される。前記警告システム２０は、発光ダイオード或いは音声警報装置を採用することが好ましい。
【００１９】
前記光学式マウス１０が有線作業状態になった場合、電池モジュール８０が十分に充電されれば、その情報が前記電量測定モジュール７０によって測定され、また、前記警告システム２０によって提示する。前記光学式マウス１０が無線作業状態になった場合、前記電池モジュール８０の低電量の情報が前記電量測定モジュール７０によって測定されれば、前記電量測定モジュール７０が前記無線モジュール５０との接続を切断されて、前記光学式マウス１０の作業が停止する。
【００２０】
前記電池モジュール８０は、前記光学式マウス１０が有線作業状態になった時、電気エネルギーを蓄積する。また、前記電池モジュール８０は、前記光学式マウス１０が無線作業状態になった時、前記インバータ回路６０を介して前記無線モジュール５０に電気エネルギーを提供して、前記光学式マウス１０を正常に作業しようにする。
【００２１】
使用者が光学式マウス１０を使用する時、前記光学式マウス１０のポート１２４とコンピュータ９０のＵＳＢポート９０２とが接続線１４を介して連結しない場合、電源切り替え手段３０が前記コンピュータ９０からの電気信号を感測しない。この時、前記電源切り替え手段３０は、無線モジュール５０をオンさせ、有線モジュール４０をオフさせる。従って、前記光学式マウス１０は無線作業状態になる。
【００２２】
その時、電池モジュール８０は前記インバータ回路６０へ電気エネルギーを伝送する。前記インバータ回路６０は前記電気エネルギーを前記光学式マウス１０に適合する電気エネルギーに変換した後、前記無線モジュール５０へ伝送する。
【００２３】
前記無線モジュール５０の無線送信モジュール５０２は、前記光学式マウス１０の操作指令を無線信号に変換して放送する。前記無線信号は前記コンピュータ９０に電気接続した無線受信モジュール５０４によって受信し、前記コンピュータ９０へ伝送する。これによって、前記光学式マウス１０は前記コンピュータ９０を操作する。
【００２４】
また、前記コンピュータ９０を操作する過程で、電量測定モジュール７０は前記電池モジュール８０の電量に対して実時間性測定を進行する。前記電池モジュール８０の低電量の情報が前記電量測定モジュール７０によって測定されれば、前記電量測定モジュール７０が前記無線モジュール５０との接続を切断され、前記光学式マウス１０の作業が停止する。従って、前記光学式マウス１０は前記コンピュータ９０のスクリーン・カーソルを制御することができなくなる。
【００２５】
従って、前記光学式マウス１０のポート１２４とコンピュータ９０のＵＳＢポート９０２とを接続線１４で連結させる。その時、前記電源切り替え手段３０が前記コンピュータ９０からの電気信号を感測する。従って、前記電源切り替え手段３０は、前記有線モジュール４０をオンさせ、前記無線モジュール５０をオフさせる。だから、前記光学式マウス１０は有線作業状態になる。
【００２６】
前記光学式マウス１０の有線作業状態の下で、前記光学式マウス１０が必要とする電気エネルギーは、前記コンピュータ９０が前記接続線１４を介して前記有線モジュール４０へ伝送する。同時に前記有線モジュール４０は、前記接続線１４を介して前記コンピュータ９０へ操作信号を伝送して、前記コンピュータ９０を操作する。
【００２７】
また、前記コンピュータ９０を操作する同時、前記電池モジュール８０を充電する。即ち、前記有線モジュール４０は、前記コンピュータ９０からの電気エネルギーを前記インバータ回路６０へ伝送し、前記インバータ回路６０は前記電気エネルギーを前記電池モジュール８０に適合する電気エネルギー変換して、前記電池モジュール８０に充電する。
【００２８】
前記電池モジュール８０に充電する過程で、電量測定モジュール７０は前記電池モジュール８０の電量に対して実時間性測定を進行する。前記電池モジュール８０が十分に充電されれば、前記警告システム２０の発光ダイオードが点灯されて、使用者に電池モジュール８０が十分に充電された情報を提示する同時に、前記電池モジュール８０に対する充電を終止する。
【００２９】
その時、若し、前記光学式マウス１０のポート１２４から前記接続線１４のＵＳＢコネクタ１４４を抜けば、前記光学式マウス１０は再び無線作業状態で作業する。若し、続いて有線作業状態で作業すれば、前記光学式マウス１０に必要な電気エネルギーは前記コンピュータ９０から提供される。また、その具体的な作業の過程は上述したものと同じなので省略する。
【００３０】
本発明の光学式マウス１０が有線作業状態及び無線作業状態を切り替え、且つ有線作業状態になった時前記コンピュータ９０のスクリーン・カーソルに対する制御及び前記光学式マウス１０の電池モジュール８０に対する充電を同時に進行することができるから、充電の時に作業を進行することができる。従って、作業效率を向上させることができる。
【００３１】
以上、本発明の好適な実施の形態について詳細に説明したが、本発明は前記実施の形態に限定されるものではなく、本発明の範囲内で種々の変形又は修正が可能であり、該変形又は修正も又、本発明の特許請求の範囲内に含まれるものであることは、いうまでもない。
【図面の簡単な説明】
【００３２】
【図１】本発明の光学式マウスを示す斜視図である。
【図２】本発明の光学式マウスの使用状態を示す図である。
【図３】本発明の光学式マウスの各々の性能モジュールの関係図である。
【符号の説明】
【００３３】
１０  光学式マウス
１２  本体
１２２  操作部
１２４  ポート
１４  接続線
１４２  ＵＳＢコネクタ
１４４  ＵＳＢコネクタ
２０  警告システム
３０  電源切り替え手段
４０  有線モジュール
５０  無線モジュール
５０２  無線送信モジュール
５０４  無線受信モジュール
６０  インバータ回路
７０  電量測定モジュール
８０  電池モジュール
９０  コンピュータ
９０２  ＵＳＢポート
【図１】
2009032265.tif 000003
【図２】
2009032265.tif 000004
【図３】
2009032265.tif 000005